(57)【要約】【課題】フィルタの着脱が容易に行える換気装置を提供する。【解決手段】熱交換型換気装置１Ａは、ＯＡフィルタ８が縦向きで取り付けられる。ＯＡフィルタ８は、フロントパネル３の着脱口カバー３０を開けることで、上下方向に動かして着脱が可能である。また、フロントパネル３を開閉する吸込口カバー３２にＲＡフィルタ９が取り付けられる。ＲＡフィルタ９は、吸込口カバー３２を開くことで、吸込口カバー３２に対して着脱が可能である。【選択図】        図１
2010236812.tif 000002
【特許請求の範囲】
【請求項１】
本体部と、前記本体部の下側に取り付けられるフロントパネルを備え、
前記本体部は、
給気ファンで外気が吸い込まれる外気吸込口と、
前記外気吸込口から吸い込まれる外気を通過させる第１のフィルタが着脱可能に取り付けられる第１のフィルタ取付部と、
排気ファンで室内の空気が吸い込まれる還気吸込口とを備え、
前記フロントパネルは、
前記本体部に取り付けられた前記第１のフィルタが出し入れされる着脱口を開閉可能な着脱口カバーと、
前記還気吸込口とつながる吸込グリルが形成され、開閉可能な吸込口カバーと、
前記吸込口カバーに設けられ、前記吸込グリルから前記還気吸込口へ吸い込まれる室内の空気を通過させる第２のフィルタが着脱可能に取り付けられる第２のフィルタ取付部とを備えた
ことを特徴とする換気装置。
【請求項２】
前記着脱口カバーは、軸部を支点とした回動動作で前記フロントパネルに対して開閉すると共に、前記吸込口カバーは、軸部を支点とした回動動作で前記フロントパネルに対して開閉し、前記着脱口カバーの外側に前記軸部を配置すると共に、前記吸込口カバーの外側に前記軸部を配置した
ことを特徴とする請求項１記載の換気装置。
【請求項３】
前記第２のフィルタ取付部は、前記第２のフィルタをスライド移動させることで、前記吸込口カバーに対して前記第２のフィルタを着脱可能とした
ことを特徴とする請求項１または２記載の換気装置。
【請求項４】
前記第２のフィルタの着脱操作を誘導する表記が行われた操作誘導部材を前記第２のフィルタに備えた
ことを特徴とする請求項３記載の換気装置。
【請求項５】
前記本体部は、回動動作で前記第１のフィルタの固定及び固定の解除が行われる止め具を備えた
ことを特徴とする請求項１、２、３または４記載の換気装置。
【請求項６】
前記第２のフィルタが前記排気ファンで前記還気吸込口から吸い込まれる空気によって吸引されることを防止する吸引防止手段を備えた
ことを特徴とする請求項１〜５の何れか１項に記載の換気装置。
【発明の詳細な説明】
【技術分野】
【０００１】
本発明は、外気を吸い込んで室内に給気すると共に、室内の空気を吸い込んで屋外に排気する換気装置に関する。
【背景技術】
【０００２】
室内の換気を行う換気装置として、外気を吸い込んで室内に給気すると共に、室内の空気を吸い込んで屋外に排気する換気装置が提案されている（例えば、特許文献１参照）。
【０００３】
また、外気と室内の空気との間で熱交換を行う熱交換素子を備えた熱交換型換気装置が提案されている。熱交換型換気装置では、熱交換素子における外気の取り入れ口と対向して給気側のフィルタが取り付けられる。また、熱交換素子における室内からの空気の取り入れ口と対向して排気側のフィルタが取り付けられる。そして、装置の下側から給気側と排気側のフィルタの双方が着脱可能な構成となっている。
【先行技術文献】
【特許文献】
【０００４】
【特許文献１】特開２００７−２４４１５号公報
【発明の概要】
【発明が解決しようとする課題】
【０００５】
建物の天井に取り付けられる換気装置は、天井に露出する部分にはフロントパネルが取り付けられる。しかし、従来の換気装置では、フィルタの着脱は、フロントパネル全体を取り外して行う必要があり、作業性が悪いという問題があった。
【０００６】
本発明は、このような課題を解決するためになされたもので、フィルタの着脱が容易に行える換気装置を提供することを目的とする。
【課題を解決するための手段】
【０００７】
上述した課題を解決するため、本発明の換気装置は、本体部と、本体部の下側に取り付けられるフロントパネルを備え、本体部は、給気ファンで外気が吸い込まれる外気吸込口と、外気吸込口から吸い込まれる外気を通過させる第１のフィルタが着脱可能に取り付けられる第１のフィルタ取付部と、排気ファンで室内の空気が吸い込まれる還気吸込口とを備え、フロントパネルは、本体部に取り付けられた第１のフィルタが出し入れされる着脱口を開閉可能な着脱口カバーと、還気吸込口とつながる吸込グリルが形成され、開閉可能な吸込口カバーと、吸込口カバーに設けられ、吸込グリルから還気吸込口へ吸い込まれる室内の空気を通過させる第２のフィルタが着脱可能に取り付けられる第２のフィルタ取付部とを備えたものである。
【０００８】
本発明の換気装置では、第１のフィルタは、フロントパネルの着脱口カバーを開けることで、本体部の下面から着脱が可能である。また、第２のフィルタは、フロントパネルの吸込口カバーを開けることで、吸込口カバーから着脱が可能である。
【発明の効果】
【０００９】
本発明の換気装置では、装置の本外部からフロントパネルの全体を取り外すことなく、フィルタの着脱を行うことができるので、作業性が向上する。
【図面の簡単な説明】
【００１０】
【図１】本実施の形態の熱交換型換気装置の一例を示す斜視図である。
【図２】本実施の形態の熱交換型換気装置の一例を示す内部構成図である。
【図３】本実施の形態のフロントパネルの一例を示す斜視図である。
【図４】本実施の形態のＲＡフィルタの一例を示す斜視図である。
【図５】本実施の形態の吸込口カバーの一例を示す斜視図である。
【図６】本実施の形態の吸込口カバーの一例を示す斜視図である。
【図７】本実施の形態のＲＡフィルタの着脱動作を示す動作説明図である。
【図８】本実施の形態の係止具の一例を示す断面図である。
【図９】本実施の形態のＲＡフィルタの吸引防止構造を示す断面図である。
【図１０】本実施の形態のＯＡフィルタの固定構成例を示す要部拡大図である。
【図１１】本実施の形態のＯＡフィルタの固定動作例を示す動作説明図である。
【図１２】本実施の形態のＯＡフィルタの固定動作例を示す動作説明図である。
【発明を実施するための最良の形態】
【００１１】
以下、図面を参照して、本発明の換気装置の実施の形態としての熱交換型換気装置について説明する。
【００１２】
＜本実施の形態の熱交換型換気装置の構成例＞
図１は、本実施の形態の熱交換型換気装置の一例を示す斜視図、図２は、本実施の形態の熱交換型換気装置の一例を示す内部構成図、図３は、本実施の形態の熱交換型換気装置に取り付けられるフロントパネルの一例を示す上面方向から見た斜視図である。
【００１３】
本実施の形態の熱交換型換気装置１Ａは、本体部２とフロントパネル３を備える。熱交換型換気装置１Ａは、本体部２が建物の天井１００内に埋め込まれる形態で天井パネル１０１に取り付けられ、本体部２の下側にフロントパネル３が取り付けられる。フロントパネル３には、本体部２に着脱可能に取り付けるための取付バネ３９が取り付けられる。
【００１４】
熱交換型換気装置１Ａは、屋外から外気ＯＡを吸い込んで室内へ給気ＳＡを吹き出す給気ファン４ＳＡを本体部２に備える。また、熱交換型換気装置１Ａは、室内から還気ＲＡを吸い込んで屋外へ排気ＥＡを吹き出す排気ファン４ＥＡを本体部２に備える。更に、熱交換型換気装置１Ａは、給気ファン４ＳＡで屋外から吸い込んだ外気ＯＡと排気ファン４ＥＡで室内から吸い込んだ還気ＲＡとの間で熱交換を行う熱交換素子５を本体部２に備える。
【００１５】
熱交換素子５は、給気側の熱交換風路を構成する素材と排気側の熱交換風路を形成する素材が、風路を直交する向きとして積層された直方体形状である。熱交換素子５は、給気側の熱交換風路の外気吸込口５１ＯＡと給気吹出口５１ＳＡが、直方体形状の一方の対向する面に形成され、排気側の熱交換風路の還気吸込口５１ＲＡと排気吹出口５１ＥＡが、直方体形状の他方の対向する面に形成される。
【００１６】
熱交換素子５は、給気側の熱交換風路と排気側の熱交換風路が、熱伝導性を有すると共に空気を通さない隔壁で仕切られ、給気側の熱交換風路を通る空気と排気側の熱交換風路を通る空気との間で熱交換される。
【００１７】
本体部２は、給気風路２０ＳＡと排気風路２０ＥＡを構成する風路形成部材６と、風路形成部材６が収容されるキャビネット７を備える。風路形成部材６は、給気ファンケース４０ＳＡと排気ファンケース４０ＥＡが、例えば発泡材で構成される。
【００１８】
給気ファンケース４０ＳＡは、給気ファン４ＳＡの軸方向に沿った上部にファン吸込口４２ＳＡが形成され、給気ファン４ＳＡの接線方向にファン吹出口４３ＳＡが形成される。排気ファンケース４０ＥＡは、排気ファン４ＥＡの軸方向に沿った上部にファン吸込口４２ＥＡが形成され、給気ファンケース４０ＳＡのファン吹出口４３ＳＡとは逆向きで、排気ファン４ＥＡの接線方向に図示されないファン吹出口が形成される。
【００１９】
ファンモータ４１Ｍは両軸のモータで、給気ファン４ＳＡが下側の軸に取り付けられ、排気ファン４ＥＡが上側の軸に取り付けられて、給気ファン４ＳＡと排気ファン４ＥＡが同軸上に配置される。
【００２０】
熱交換型換気装置１Ａは、単一のファンモータ４１Ｍで給気ファン４ＳＡと排気ファン４ＥＡが駆動され、給気ファン４ＳＡが回転駆動されると、空気がファン吸込口４２ＳＡから吸い込まれてファン吹出口４３ＳＡから吹き出される給気風路２０ＳＡが形成される。また、排気ファン４ＥＡが回転駆動されると、空気がファン吸込口４２ＥＡから吸い込まれて図示されないファン吹出口から吹き出される排気風路２０ＥＡが形成される。
【００２１】
風路形成部材６は、給気ファンケース４０ＳＡのファン吸込口４２ＳＡの上流側に、排気風路２０ＥＡとは独立した給気風路形成空間４４ＳＡが形成される。また、風路形成部材６は、給気ファンケース４０ＳＡのファン吹出口４３ＳＡの下流側で、かつ、排気ファンケース４０ＥＡのファン吸込口４２ＥＡの上流側に、熱交換素子５が取り付けられる熱交換素子取付空間４５が形成される。
【００２２】
キャビネット７は、下面が開口した直方体形状を有し、樹脂材料で例えば一体に形成される。キャビネット７は、給気風路２０ＳＡの吸込側となる給気風路形成空間４４ＳＡとつながる外気吸込口７０ＯＡと、排気風路２０ＥＡの吹出側となる排気ファンケース４０ＥＡのファン吹出口とつながる図示されない排気吹出口が、長手方向の一方の側面にそれぞれ開口を設けて形成される。また、キャビネット７は、給気風路２０ＳＡの吹出側となる熱交換素子取付空間４５とつながる給気吹出口７０ＳＡが、長手方向の他方の側面に開口を設けて形成される。
【００２３】
キャビネット７は、熱交換素子５を支持する素子支持部７１が上面部に一体に形成される。素子支持部７１は、排気ファン４ＥＡで吸い込まれる空気の流れに沿って傾斜して、排気風路２０ＥＡの一部を構成する。
【００２４】
また、キャビネット７は、給気ファンケース４０ＳＡの下面の開口部を塞ぐ押さえ部材７２を挟み込む形態で、下面の開口部に押さえ板金７３が取り付けられる。
【００２５】
押さえ部材７２は、熱交換素子５を支持する素子支持部７２ａが一体に形成される。素子支持部７２ａは、給気ファンケース４０ＳＡのファン吹出口４３ＳＡに沿って傾斜して、給気風路２０ＳＡの一部を構成する。
【００２６】
熱交換型換気装置１Ａは、キャビネット７に収容された風路形成部材６の熱交換素子取付空間４５に熱交換素子５が取り付けられる。そして、押さえ部材７２を挟み込む形態で、キャビネット７の下面の開口部に押さえ板金７３が取り付けられると、熱交換素子５は、風路形成部材６とキャビネット７と押さえ部材７２に支持される。
【００２７】
本体部２は、キャビネット７の下面の開口部に押さえ板金７３が取り付けられると、熱交換素子５の還気吸込口５１ＲＡとつながる還気吸込口７０ＲＡが、キャビネット７の他方の側面と押さえ板金７３との間の隙間によって形成される。
【００２８】
熱交換型換気装置１Ａは、キャビネット７の下面の開口部が、強度がある金属の板材で形成される押さえ板金７３で覆われることで、ビビリ音等と称される騒音の発生が抑制される。
【００２９】
熱交換型換気装置１Ａは、外気吸込口７０ＯＡにＯＡダクトジョイント７４ＯＡが取り付けられ、図示しない排気吹出口にＥＡダクトジョイント７４ＥＡ（図１１，図１２参照）が取り付けられる。また、熱交換型換気装置１Ａは、給気吹出口７０ＳＡに複数のＳＡダクトジョイント７４ＳＡが取り付けられる。これらダクトジョイントは、取付金具７５等によってキャビネット７に取り付けられる。なお、熱交換素子５を通さずに排気を行う副吸込口を備えても良い。また、給気吹出口７０ＳＡに複数のＳＡダクトジョイントを備えた分岐チャンバを接続する構成としても良い。
【００３０】
熱交換型換気装置１Ａは、給気ファン４ＳＡで吸い込まれる外気ＯＡを清浄するＯＡフィルタ８と、排気ファン４ＥＡで吸い込まれる還気ＲＡを清浄するＲＡフィルタ９を備える。ＯＡフィルタ８は第１のフィルタの一例で、枠部８０と、枠部８０に取り付けられるフィルタ部材８１を備える。
【００３１】
熱交換型換気装置１Ａは、ＯＡフィルタ８が着脱可能に取り付けられるＯＡフィルタ取付部４６を本体部２に備える。ＯＡフィルタ取付部４６は第１のフィルタ取付部の一例で、ＯＡフィルタ８の上下方向への移動をガイドする溝を、給気風路形成空間４４ＳＡの壁部に形成して構成される。
【００３２】
ＯＡフィルタ８は、ＯＡフィルタ取付部４６に挿入されることで、本体部２の給気風路形成空間４４ＳＡに縦向きに取り付けられ、上下方向への移動で本体部２に対して着脱される。
【００３３】
フロントパネル３は、長手方向の一方の端部側に着脱口カバー３０を備える。フロントパネル３には、ＯＡフィルタ取付部４６に取り付けられるＯＡフィルタ８が出し入れできる大きさで開口した着脱口３１が形成される。着脱口カバー３０は、軸部３０ａがフロントパネル３に回動可能に支持され、軸部３０ａを支点とした回動動作で着脱口３１を開閉する。軸部３０ａは、着脱口カバー３０の外側に配置され、着脱口カバー３０は外側に向けて開かれる。
【００３４】
熱交換型換気装置１Ａは、着脱口カバー３０を開けると、フロントパネル３の着脱口３１にＯＡフィルタ８が露出する。そして、熱交換型換気装置１Ａは、ＯＡフィルタ８を垂直な向きで上下に動かすことで、ＯＡフィルタ取付部４６に対してＯＡフィルタ８の挿抜が可能となる。これにより、熱交換型換気装置１Ａでは、着脱口カバー３０を開けることで、フロントパネル３を着脱することなく、ＯＡフィルタ８の着脱が行われる。
【００３５】
フロントパネル３は、長手方向の他方の端部側に吸込口カバー３２を備える。吸込口カバー３２は、本体部２の還気吸込口７０ＲＡとつながる吸込グリル３３が形成される。
【００３６】
フロントパネル３には、還気吸込口７０ＲＡと対向する位置に開口部３４が形成される。吸込口カバー３２は、軸部３２ａがフロントパネル３に回動可能に支持され、軸部３２ａを支点とした回動動作で開口部３４を開閉する。軸部３２ａは、吸込口カバー３２の外側に配置され、吸込口カバー３２は外側に向けて開かれる。これにより、着脱口カバー３０と吸込口カバー３２は、いわゆる観音開きの形態となる。
【００３７】
＜本実施の形態のＲＡフィルタの構成例＞
図４は、本実施の形態のＲＡフィルタの一例を示す斜視図である。ＲＡフィルタ９は第２のフィルタの一例で、枠部９０と、フィルタ部材９１と、取手部９２と、吸引防止突起９３を備える。取手部９２は操作誘導部材の一例で、ＲＡフィルタ９を着脱する際の操作を誘導できるように、例えば矢印形状の凸部を設けて構成される。
【００３８】
＜本実施の形態のＲＡフィルタの着脱構成例＞
図５は、本実施の形態の吸込口カバーの一例を示す斜視図で、ＲＡフィルタが取り外された状態を示す。図６は、本実施の形態の吸込口カバーの一例を示す斜視図で、ＲＡフィルタが取り付けられた状態を示す。吸込口カバー３２は、吸込グリル３３の内側にＲＡフィルタ９が取り付けられるＲＡフィルタ取付部３５を備える。ＲＡフィルタ取付部３５は第２のフィルタ取付部の一例で、一対の横ガイド部３５ａと、上ガイド部３５ｂと、上ガイド部３５ｂと対に配置される下ガイド部３５ｃを備える。
【００３９】
横ガイド部３５ａは、ＲＡフィルタ９の枠部９０の左右両側をガイドする突起を、吸込口カバー３２の裏面に設けて形成される。上ガイド部３５ｂと下ガイド部３５ｃは、ＲＡフィルタ９の枠部９０が係止される鉤状の突起部を、吸込口カバー３２の裏面に設けて形成される。横ガイド部３５ａの間隔は、ＲＡフィルタ９の長手方向の幅より若干大きい程度に構成される。上ガイド部３５ｂと下ガイド部３５ｃとの間隔は、ガイド間でＲＡフィルタ９を動かすことでＲＡフィルタ９が着脱できるように、所定の着脱隙間が設けられる。
【００４０】
図７は、本実施の形態のＲＡフィルタの着脱動作を示す動作説明図である。ＲＡフィルタ９が吸込口カバー３２に取り付けられている状態では、図７（ａ）に示すように、ＲＡフィルタ９の上端と下端の両方が、上ガイド部３５ｂと下ガイド部３５ｃに係止されている。これにより、吸込口カバー３２を開閉しても、ＲＡフィルタ９が不用意に外れることはなく、所定の位置で保持される。図７（ａ）の状態では、ＲＡフィルタ９の上端と上ガイド部３５ｂとの間に所定の着脱隙間Ｈが形成されている。
【００４１】
ＲＡフィルタ９を交換する場合は、吸込口カバー３２を開け、図７（ｂ）に示すように、ＲＡフィルタ９を矢印Ｕ方向に持ち上げる。ここで、図４等に示すように、ＲＡフィルタ９には、矢印形状の取手部９２が設けられている。ユーザは、この取手部９２を見ることで、ＲＡフィルタ９を着脱する際の移動方向を知ることができる。
【００４２】
ＲＡフィルタ９を矢印Ｕ方向に持ち上げて、着脱隙間Ｈ分移動させると、ＲＡフィルタ９の下端と下ガイド部３５ｃとの間に着脱隙間Ｈが形成され、ＲＡフィルタ９の下端が下ガイド部３５ｃから外れる。
【００４３】
これにより、図７（ｃ）に示すように、ＲＡフィルタ９の上端側を支点として、矢印Ｊ方向に回転させる動作で、図７（ｄ）に示すように、ＲＡフィルタ９を吸込口カバー３２から取り外すことができる。なお、ＲＡフィルタ９を吸込口カバー３２に取り付ける場合には、上述した動作を逆に行えば良い。
【００４４】
熱交換型換気装置１Ａでは、吸込口カバー３２を開けることで、フロントパネル３を着脱することなく、ＲＡフィルタ９の着脱が行われる。熱交換型換気装置１Ａは、建物の天井パネル１０１に取り付けられており、ＲＡフィルタ９の着脱作業は、上を向いた姿勢で行われることになる。このため、ＲＡフィルタの固定がネジ止め等によって行われる構成では作業性が悪い。
【００４５】
これに対して、本実施の形態の熱交換型換気装置１Ａでは、吸込口カバー３２を開けた状態として、ＲＡフィルタ９をスライド移動させることで着脱が可能となるので、片手でも着脱操作が行え、作業性が向上する。また、取手部９２を矢印形状として操作方向を明示することで、説明書を見ることなく、ユーザに操作方法を判りやすく明示できる。
【００４６】
図８は、本実施の形態の係止具の一例を示す断面図である。吸込口カバー３２は、係止突起３６が裏面に形成される。また、フロントパネル３は、吸込口カバー３２の係止突起３６が着脱可能に係止される係止具３７を備える。
【００４７】
係止具３７は、プッシュラッチと称される形態で、吸込口カバー３２を閉じた状態から更に押し込むと、係止突起３６の係止が外れ、吸込口カバー３２を開けることができる。また、開いた状態の吸込口カバー３２を閉じて、一度押し込むと、係止突起３６が係止具３７で係止されて、吸込口カバー３２は閉状態で保持される。
【００４８】
ここで、係止具３７の変位可能量を多くとり、係止突起３６の係止及び解放のために必要なストローク量を確保できるようにして、係止と解放が確実に行えるようにしてある。なお、図８では、吸込口カバー３２の係止構造について説明したが、着脱口カバー３０も同様の係止構造を備えており、吸込口カバー３２と同じ操作で着脱口カバー３０の開閉が可能となっている。
【００４９】
図９は、本実施の形態のＲＡフィルタの吸引防止構造を示す断面図である。フロントパネル３は、ＲＡフィルタ９に設けられた吸引防止手段の一例である吸引防止突起９３が嵌る押さえ部３８を備える。押さえ部３８は、ＲＡフィルタ９が取り付けられた吸込口カバー３２を閉じると、ＲＡフィルタ９の吸引防止突起９３が挿入される開口を設けて形成され、還気吸込口７０ＲＡから吸い込まれる還気ＲＡでＲＡフィルタ９が吸引されることを防止する。
【００５０】
＜本実施の形態のＯＡフィルタの着脱構成例＞
図１０は、本実施の形態のＯＡフィルタの固定構成例を示す要部拡大図、図１１及び図１２は、本実施の形態のＯＡフィルタの固定動作例を示す動作説明図である。
【００５１】
熱交換型換気装置１Ａは、本体部２に止め具８６を備えると共に、ＯＡフィルタ８に押さえ部材８７を備える。止め具８６は、軸部８６ａを支点に回動可能に押さえ板金７３の下面に取り付けられる。止め具８６は、軸部８６ａを支点とした回動動作の軌跡に合わせて、軸部８６ａ側から先端に向かって幅が広がる幅広部８６ｂが形成される。
【００５２】
押さえ部材８７は、ＯＡフィルタ８の枠部８０の下面に突出形成される。押さえ部材８７は、軸部８６ａを支点とした止め具８６の軌跡に沿った円弧形状を有し、円弧の先端側から、傾斜部８７ａと、押さえ部８７ｂと、退避部８７ｃと、回動規制部８７ｄが形成される。
【００５３】
押さえ部材８７の傾斜部８７ａは、図１０に示すように、ＯＡフィルタ８の下面から、緩やかな角度で立ち上がる斜面で形成される。押さえ部材８７の押さえ部８７ｂは、ＯＡフィルタ８の下面から所定の高さを有し、傾斜部８７ａからつながる水平な面で形成される。押さえ部材８７の退避部８７ｃは、押さえ部８７ｂより低い高さを有する。押さえ部材８７の回動規制部８７ｄは、押さえ部８７ｂより高い高さを有する。押さえ部材８７は、押さえ部８７ｂがＯＡフィルタ８の幅方向の中心に近づけられた位置に形成されている。
【００５４】
熱交換型換気装置１Ａでは、図１に示すように着脱口カバー３０を開けると、フロントパネル３の着脱口３１にＯＡフィルタ８が露出する。そして、止め具８６を軸部８６ａを支点に回動させて、図１２に示すように、ＯＡフィルタ８から退避させると、ＯＡフィルタ８の本体部２に対する着脱が可能な状態となる。
【００５５】
ＯＡフィルタ８を固定するためには、図１２に示す状態から、止め具８６を軸部８６ａを支点に矢印Ｄ方向に回動させる。止め具８６を軸部８６ａを支点に矢印Ｄ方向に回動させると、止め具８６は、押さえ部材８７の傾斜部８７ａに誘導されて幅広部８６ｂが押さえ部８７ｂに乗り上げ、ＯＡフィルタ８を押し上げる。止め具８６を更に回動させると、幅広部８６ｂの一部は押さえ部材８７の退避部８７ｃの位置で押さえ部材８７とは非接触となる。そして、止め具８６が押さえ部材８７の回動規制部８７ｄに突き当てられることで、止め具８６の回動が規制される。
【００５６】
止め具８６を押さえ部材８７の回動規制部８７ｄに突き当てられる位置まで回動させると、止め具８６は、幅広部８６ｂの一部が、押さえ部８７ｂで押さえ部材８７と接し、幅広部８６ｂの一部は、退避部８７ｃの位置で押さえ部材８７とは非接触となる。
【００５７】
これにより、図２に示すようにフィルタ取付部４６に挿入されたＯＡフィルタ８は、止め具８６の幅広部８６ｂの一部が、押さえ部８７ｂで押さえ部材８７と接することで押し上げられる。従って、ＯＡフィルタ８が取り付けられる位置での空気の漏れを防ぐことができる。
【００５８】
熱交換型換気装置１Ａは、建物の天井パネル１０１に取り付けられており、ＯＡフィルタ８の着脱作業は、上を向いた姿勢で行われることになる。このため、ＯＡフィルタの固定がネジ止めによって行われる構成では作業性が悪い。これに対して、本実施の形態の熱交換型換気装置１Ａでは、１つの止め具８６の回動動作で、ＯＡフィルタ８の固定及び固定の解除が可能であり、作業性が向上する。また、止め具８６は本体部２から外れない構成であるので、部品の紛失を防ぐことができる。更に、ＯＡフィルタ８に設けられた押さえ部材８７の形状によって、止め具８６の回動動作で、ＯＡフィルタ８を本体部２側に押し付けることができ、簡単な操作でシール性を確保することができる。
【００５９】
着脱口カバー３０と吸込口カバー３２は、互いが外側に向けて開く。これにより、ユーザは、フロントパネル３の中央付近で作業をすれば、ＯＡフィルタ８とＲＡフィルタ９の両方の着脱が容易に行える。また、ＲＡフィルタをフロントパネルに対してスライド移動させて着脱する構成では、熱交換型換気装置が壁の近くに設置されていると、ＲＡフィルタの着脱ができないおそれがあった。これに対して、本実施の形態では、熱交換型換気装置１Ａの設置場所によらず、ＲＡフィルタ９の着脱を行うことができる。
【００６０】
なお、着脱口カバー３０は、空気を吸い込むためのグリル部は不要であるが、グリル部の開口部分を塞ぐ部材を備えることで、吸込口グリル３２と部品を共用化することが可能である。
【００６１】
＜本実施の形態の熱交換型換気装置の動作例＞
熱交換型換気装置１Ａは、給排気が機械換気で行われる第１種換気システムを構成し、所定時間で建物の空気が入れ替えられる換気風量で２４時間（常時）連続運転される。すなわち、熱交換型換気装置１Ａでは、給気ファン４ＳＡと排気ファン４ＥＡが、所定の換気風量が得られる回転数で駆動される。
【００６２】
熱交換型換気装置１Ａは、ファンモータ４１Ｍで給気ファン４ＳＡが駆動されると、給気風路２０ＳＡにおいてファン吸込口４２ＳＡから空気が吸い込まれ、ファン吸込口４２ＳＡから吸い込まれた空気がファン吹出口４３ＳＡから吹き出される。
【００６３】
また、熱交換型換気装置１Ａは、ファンモータ４１Ｍで排気ファン４ＥＡが駆動されると、排気風路２０ＥＡにおいてファン吸込口４２ＥＡから空気が吸い込まれ、ファン吸込口４２ＥＡから吸い込まれた空気が図示しないファン吹出口から吹き出される。
【００６４】
これにより、熱交換型換気装置１Ａでは、図示しない建物外壁の屋外グリルから吸込ダクトを通り給気風路２０ＳＡへ外気ＯＡが吸い込まれる。給気風路２０ＳＡへ吸い込まれた外気ＯＡは、ＯＡフィルタ８を通過することで塵や虫等の異物が除去されて清浄され、清浄された空気（外気ＯＡ）が熱交換素子５を通って給気ＳＡが吹き出される。
【００６５】
また、フロントパネル３の吸込グリル３３から排気風路２０ＥＡへ室内からの還気ＲＡが吸い込まれる。排気風路２０ＥＡへ吸い込まれた還気ＲＡは、ＲＡフィルタ９を通過することで室内の埃等の異物が除去されて清浄され、清浄された空気（還気ＲＡ）が熱交換素子５を通り、熱交換素子５を通った排気ＥＡが、図示しない排気ダクトを通り建物外壁の屋外グリルから屋外へ排出される。
【００６６】
そして、給気風路２０ＳＡを通る外気ＯＡと排気風路２０ＥＡを通る還気ＲＡが熱交換素子５を通ることで熱交換されて、室温に近づけられた給気ＳＡが室内に吹き出されることで、温度が調整された新鮮な空気（外気）が室内に供給される。また、室内の汚れた空気が屋外に排気される。
【産業上の利用可能性】
【００６７】
本発明は、一般住宅に設置され、２４時間換気機能を有した空調装置に適用される。
【符号の説明】
【００６８】
１Ａ・・・熱交換型換気装置、２・・・本体部、２０ＳＡ・・・給気風路、２０ＥＡ・・・排気風路、３・・・フロントパネル、３０・・・着脱口カバー、３０ａ・・・軸部、３２・・・吸込口カバー、３２ａ・・・軸部、３３・・・吸込グリル、３５・・・ＲＡフィルタ取付部、３６・・・係止突起、３７・・・係止具、４ＳＡ・・・給気ファン、４ＥＡ・・・排気ファン、５・・・熱交換素子、６・・・風路形成部材、７・・・キャビネット、８・・・ＯＡフィルタ、９・・・ＲＡフィルタ、９０・・・枠部、９１・・・フィルタ部材、９２・・・取手部、９３・・・吸引防止突起
【図１】
2010236812.tif 000003
【図２】
2010236812.tif 000004
【図３】
2010236812.tif 000005
【図４】
2010236812.tif 000006
【図５】
2010236812.tif 000007
【図６】
2010236812.tif 000008
【図７】
2010236812.tif 000009
【図８】
2010236812.tif 000010
【図９】
2010236812.tif 000011
【図１０】
2010236812.tif 000012
【図１１】
2010236812.tif 000013
【図１２】
2010236812.tif 000014